(57)【要約】【課題】Ｘ線撮影システムの電源装置に、可搬型平面検出器を接続することで、予め登録した情報を読み出すことができるようにしたことにより、自動的にＸ線撮影システムの環境の設定を変更することが可能となる。【解決手段】Ｘ線発生制御装置１３と、据付型の平面検出器２２ａと据付型の平面検出器２２ｂと、画像処理装置１９と、本撮影システムに対して着脱可能なコネクタを有する可搬型平面検出器１７と、これらを制御するシステム制御装置１６と、これらの装置を設定するための撮影条件を平面検出器の種別に応じて保存・管理する撮影条件管理部２０とで構成される。可搬型平面検出器１７をＸ線撮影システム１に着脱するだけで、現在接続されている平面検出器の種別に応じてＸ線撮影システム１の環境を設定変更することが可能となる。【選択図】図３
2010119513.tif 000002
【特許請求の範囲】
【請求項１】
Ｘ線を被検体に照射するためのＸ線発生制御手段と、
被検体を透過したＸ線を検出する可搬型平面検出器と、
前記可搬型平面検出器で検出されたＸ線を画像化し診断用に補正する画像処理手段と、
前記可搬型平面検出器の種別毎に、前記Ｘ線発生制御手段と前記画像処理手段とを制御するための設定条件を保存した設定条件管理手段と、
前記可搬型平面検出器が接続された時、前記設定条件管理手段で保存された前記可搬型平面検出器に対応した前記設定条件に基づいて、前記Ｘ線制御手段と前記画像処理手段とを制御するシステム制御手段と
を備えることを特徴とするＸ線撮影システム。
【請求項２】
前記Ｘ線撮影システムは、さらに、
据付型平面検出器と、
前記据付型平面検出器を取り付けた撮影台と、
前記据付型平面検出器の種別毎に、前記Ｘ線発生制御手段と前記画像処理手段と前記撮影台とを制御するための設定条件を保存した設定条件管理手段と、
前記可搬型平面検出器が接続されていない時、前記設定条件管理手段に保存されている前記据付型平面検出器の種別毎に保存した設定条件に基づいて、前記Ｘ線制御手段と前記画像処理手段及び前記撮影台とを制御するシステム制御装置と
を備えるものであることを特徴とする請求項１記載のＸ線撮影システム。
【請求項３】
前記可搬型平面検出器は、前記Ｘ線撮影システムに対して着脱自在なコネクタを介して接続されるものであることを特徴とする請求項２に記載のＸ線撮影システム。
【請求項４】
前記可搬型平面検出器が接続される前記コネクタは、前記可搬型平面検出器に電力を供給する電力供給線と、前記システム制御手段と同期を取る信号線と、検出したＸ線の情報を送信する信号線とを接続するであることを特徴とする請求項３記載のＸ線撮影システム。
【請求項５】
前記システム制御手段は、前記コネクタを介して、前記Ｘ線撮影システムに前記可搬型平面検出器が接続されていることを感知するものであることを特徴とする請求項４記載のＸ線撮影システム。
【請求項６】
前記システム制御手段は、前記Ｘ線撮影システムに前記可搬型平面検出器が接続されていることを感知した時、前記信号線を介して前記可搬型平面検出器のステータス情報を取得し、前記可搬型平面検出器の種別を検出するようにしたことを特徴とする請求項５記載のＸ線撮影システム。
【請求項７】
前記Ｘ線発生制御手段は、前記システム制御手段からの指令に応じて、被検体にＸ線を照射するＸ線管球に高電圧を与えるための高電圧発生装置と、Ｘ線の照射領域を限定する可動絞り装置及び、前記Ｘ線管球を保持して走行する天井懸垂式のＸ線管保持装置とを制御するものであることを特徴とする請求項１記載のＸ線撮影システム。
【請求項８】
前記画像処理手段が、前記平面検出器の種別に応じたオフセット補正を行うためのオフセット補正テーブルと、ゲイン補正をおこなうためのゲイン補正テーブルとを備え、対応する前記テーブルに切り替えるものであることを特徴とする請求項１記載のＸ線撮影システム。
【請求項９】
前記Ｘ線撮影システムは、さらに、ネットワークに接続された伝送媒体に接続可能な通信制御装置を備えるものであることを特徴とする請求項２記載のＸ線撮影システム。
【請求項１０】
前記システム制御手段は、前記Ｘ線撮影システムに前記可搬型平面検出器が接続された時、前記通信制御装置のデータ通信を行なうための信号線を介して、他のＸ線撮影システムから前記画像処理手段を取得することが可能であることを特徴とする請求項９記載のＸ線撮影システム。 
【発明の詳細な説明】
【技術分野】
【０００１】
本発明は、Ｘ線撮影システムに係わり、特に、着脱自在で持ち運び可能なＸ線平面検出器を備えたＸ線撮影システムに関する。
【背景技術】
【０００２】
Ｘ線一般撮影システムは、１つの検査室にＸ線管を保持するＸ線管保持装置と被検体（患者）の姿勢に合わせて撮影を行なう水平撮影台および立位撮影台とを有しており、これらを用いて胸腹部と骨格系の診断を中心に単純撮影を行なうシステムである。このＸ線一般撮影システムで撮影を行なう場合、操作者は撮影台とＸ線管保持装置を操作して被検体の位置を決め、可動絞り装置にて照射野の決定を行う。その後、Ｘ線高電圧装置の盤面上で管電圧／管電流／撮影時間等の撮影条件を設定し、被検体の様子を観察しながら撮影を行う。
【０００３】
ところで、このＸ線一般撮影システムの水平撮影台および立位撮影台には、それぞれ被検体を透過したＸ線を検出し、電気信号に変換して出力する平面検出器が据付られている。近年、据付型の平面検出器に加えて、移動可能な可搬型の平面検出器が存在する（たとえば特許文献１）。この可搬型の検出器は、据付型の検出器と比較して物理的な制約が少なく、あらゆる撮影部位に対応できるという利点がある。
【０００４】
しかし、従来、Ｘ線一般撮影システムに可搬型の平面検出器を組合せることには、以下の問題があった。
【０００５】
まず、可搬型の平面検出器を着脱する度に、Ｘ線撮影システムの環境を設定し直す必要があり、設定作業が煩雑になるという問題があった。Ｘ線撮影システムには、撮影台に据え付けられた据付型の平面検出器が取り付けられており、この据付型の平面検出器に適合するように撮影位置、照射野の範囲、撮影条件等が設定されている。このため、Ｘ線撮影システムに可搬型の平面検出器を取り付けた時に、この平面検出器に適した撮影位置、照射野の範囲、撮影条件を設定し直す必要があった。同様に、取り外し時には、据付型の平面検出器に適合するように撮影位置、照射野の範囲、撮影条件を設定し直す必要があった。
【０００６】
次に、可搬型の平面検出器を着脱する度に、操作者がＸ線撮影システムに備えられたコンソールを用いて手入力で設定作業を行なうため、誤入力が生じやすいという問題があった。誤って入力した場合、再度入力することになり、設定作業の効率が悪い。また、撮影を行なった後に入力の誤りに気付いた場合、再度撮影を行なうことになるため、被検体に与える負担が大きい。
【特許文献１】特開２０００−１１６６３１
【発明の開示】
【発明が解決しようとする課題】
【０００７】
上述したように、従来技術には、Ｘ線撮影システムに可搬型の平面検出器を着脱する度に、Ｘ線撮影システムの環境を設定し直す必要があり、設定作業が煩雑になるという問題があった。また、可搬型の平面検出器を着脱する度に手入力で設定作業を行なうため、誤入力が生じ易いという問題があった。
【０００８】
本発明は、上記従来技術の問題点を解決するためになされたものであって、Ｘ線撮影システムに可搬型の平面検出器を着脱した時に予め登録した設定条件を読み出す手段を設けることにより、可搬型の平面検出器の着脱操作をトリガーとして自動的にＸ線撮影システムの環境を切り替えることが可能となる。
【課題を解決するための手段】
【０００９】
上記目的を達成するために本発明は、Ｘ線を被検体に照射するためのＸ線発生制御手段と、被検体を透過したＸ線を検出する可搬型平面検出器と、前記可搬型平面検出器で検出されたＸ線をＸ線信号に変換する画像処理手段と、前記可搬型平面検出器の種別毎に、前記Ｘ線発生制御手段と前記画像処理手段とを制御するための設定条件を保存した設定条件管理手段と、前記可搬型平面検出器が接続された時、前記設定条件管理手段で保存された前記可搬型平面検出器に対応した前記設定条件に基づいて、前記Ｘ線制御手段と前記画像処理手段とを制御するシステム制御手段とを備えることを特徴とする。
【発明の効果】
【００１０】
本発明によれば、Ｘ線撮影システムに可搬型平面検出器を着脱する時に予め登録した設定条件を読み出す手段を設けることにより、可搬型平面検出器の着脱操作をトリガーとして自動的にＸ線撮影システムの環境を設定変更することが可能となる。
【発明を実施するための最良の形態】
【００１１】
以下、本発明の実施の形態について、図を参照しながら説明する。
【００１２】
（第１の実施の形態）
図１は、本発明の第１の実施の形態に係るＸ線撮影システムの概要を説明するための図である。本実施の形態にかかるＸ線撮影システム１は、検査室２と操作室３の２室を備えている。この検査室２と操作室３とは、鉛ガラスよりなる窓を備えたＸ線に対する防護壁（図示せず）により隔離されている。
【００１３】
検査室２の天井には、レールが設けられ、このレールに懸架した台車から伸縮可能な２台のＸ線管保持装置１１ａ、１１ｂが懸垂され、その下端には取り付けブロックを介してＸ線管１２ａ、１２ｂが取り付けられている。このＸ線管保持装置１１ａ、１１ｂは、左右・前後走行、上下移動及びＸ線管装置の回動（垂直軸回り）、回転（水平軸回り）などが可能である。
【００１４】
ここで、図２に示すように、Ｘ線管１２ａにはＸ線を曝射するＸ線源としてのＸ線管球６１と、Ｘ線照射領域を制限する可動絞り装置６２とが備えられている。また、Ｘ線管１２ａの側面には、Ｘ線撮影システム１で撮影した画像を表示したり、Ｘ線撮影システム１の操作状況を示す表示装置が備えられていてもよい。なお、Ｘ線管１２ｂとＸ線保持装置１１ｂは、Ｘ線管１２ａとＸ線保持装置１１ａと同様の構成となっている。
【００１５】
検査室２の床には、Ｘ線管保持装置１１ａとＸ線管１２ａとを制御するＸ線発生制御装置１３とＸ線撮影システム１全体を制御するシステム制御装置１６と、被検体を立位に整姿して撮影を行なうための立位撮影台１４と、被検体を横臥して撮影を行なうための水平撮影台１５とが配置されている。
【００１６】
Ｘ線発生制御装置１３は、Ｘ線管保持装置１１ａとＸ線管１２ａに高電圧を与える高電圧発生装置６６と可動絞り装置６２とを制御するとともに、Ｘ線管保持装置１１ａとＸ線管保持装置１１ｂを制御する装置である。図２に示すように、Ｘ線発生制御装置１３は、Ｘ線管保持装置１１ａの動作を制御するＸ線管保持装置制御部６３と、Ｘ線管１２ａにＸ線を曝射させるための高電圧を発生する高電圧発生装置６６を制御するＸ線管球制御部６４と、可動絞り装置６２に備えられた羽を制御させてＸ線照射領域を制限する可動絞り制御部６５とから構成されている。
【００１７】
立位撮影台１４と水平撮影台１５には、それぞれ、平面検出器２２ａと平面検出器２２ｂとが保持されている。
【００１８】
平面検出器２２ａ、２２ｂは、被検体を透過したＸ線を電気信号に変換する２次元の平面検出器である。この平面検出器２２ａ、２２ｂは、Ｘ線を蛍光体で受けて一旦光に変換させ、この光をフォトダイオードで受けて、電気信号に変換する構成のものがある。また、他の構成としては、Ｘ線を直接アモルファス・セレンなどで受けて、直接電気信号に変換する方式のものがある。この方式では、アモルファス・セレンに一定のバイアス電圧を印加しておき、この印加による電位の分布がＸ線の入射により習慣的に崩れ、この崩れによる電位の変化を捉えることで電気信号を得ることができる。
【００１９】
本実施の形態では、被検体を透過したＸ線を画像信号に変換出力する機能を有すると共に、Ｘ線撮影システム１に対して着脱可能な機構を有する可搬型平面検出器１７が備えられている。
【００２０】
操作室３には、操作卓装置１８が配置されている。この操作卓装置１８には、キーボードやマウス等の入力装置と、モニタ等の出力装置が備えられている。この入力装置で、高電圧発生装置６６がＸ線管１２ａ、１２ｂに印加するための管電圧、管電流、撮影時間等の撮影条件を設定され、出力装置にこれらが表示される。また、入力装置で、Ｘ線管保持装置１１ａ、１１ｂの位置を入力・操作することで、撮影位置を設定することも可能である。
【００２１】
この操作卓装置１８は、画像処理装置１９と設定条件管理部２０を内蔵した筐体上に設置されている。この画像処理装置１９は、平面検出器で検出したＸ線を読み取り、Ｘ線信号に補正処理を施した後、操作卓装置のモニタ上に撮影したＸ線撮影画像を表示させるための装置である。また、設定条件管理部２０は、予め設定したＸ線撮影システム１の環境を保存・管理するメモリであり、たとえばハードディスクであってもよい。撮影を急ぐ場合など、操作者が使用する検出器を操作卓装置１８の入力装置を用いて選択するだけで、Ｘ線撮影システム１の環境を自動的に設定することが可能である。
【００２２】
図３は、本実施の形態に係るＸ線撮影システムの一例を示すブロック図である。
【００２３】
既に述べたとおり、本実施の形態にかかるＸ線撮影システム１は、Ｘ線を曝射するＸ線管１２ａと、これを保持したＸ線管保持装置１１ａと、Ｘ線管保持装置１１ｂと、Ｘ線管保持装置１１ａとＸ線管保持装置１１ｂとＸ線管１２ａとＸ線管１２ｂとの動作を制御するＸ線発生制御装置１３を備えている。また、平面検出器２２ａを保持し、被検体を立位に整姿して撮影を行なうための立位撮影台１４と、平面検出器２２ｂを保持しており被検体を横臥して撮影を行なうための水平撮影台１５と、Ｘ線撮影システム１全体の各装置の動作を制御するシステム制御装置１６を備える。更に、電源装置２１に接続され、このＸ線撮影システム１に対して着脱可能な可搬型平面検出器１７と、平面検出器で検出したＸ線を読み取り、Ｘ線信号に補正処理を施す画像処理装置１９と、Ｘ線撮影システム１の「設定条件」を図５に示すデータベースとして保存・管理する設定条件管理部２０とを備えて構成する。
【００２４】
ここで、画像処理装置１９は、各種平面検出器からＸ線信号を読み出す読み出し制御部４１と、読み出したＸ線信号を補正する画像収集部４２とから構成されている。図４は、画像収集部４２の一例を示した図である。図４に示すように、画像収集部４２には、検出器の種類に応じて、最適な補正係数を集めた補正テーブルであるオフセット補正テーブル８１とゲイン補正テーブル８２とが準備されている。一般に、平面検出器では、補正処理として、ゲイン補正とオフセット補正が行なわれる。オフセット補正とは、平面検出器の暗示出力電圧のバラツキや読み出しアンプノイズのバラツキなどを補正するための処理である。一方、ゲイン補正とは、固体平面検出器の感度ムラや読み出しアンプのゲインムラを補正するための処理である。具体的には、オフセット補正係数が引き算されてオフセット処理が行われ、次に、オフセット補正処理されたＸ線信号に対して、ゲイン補正係数が乗算されてゲイン補正処理が行われることになる。
【００２５】
以下、Ｘ線撮影システム１において行なわれる処理を、Ｘ線撮影システム１を示す図３と設定条件管理部２０が保持するデータのテーブルを示す図５を用いて説明する。
【００２６】
Ｘ線撮影システム１において撮影を行なう場合、操作者は、予め、操作卓装置１８の図示しない入力装置を用いて、図５に示した使用される平面検出器のステータス情報とこれに対応する設定条件を設定条件管理部２０に入力して登録する。「ステータス情報」とは、可搬型平面検出器１７の現在の状態を示す情報であり、検出器のタイプや、シリアルＩＤ、メーカー、サイズを意味する。一方、「設定条件」とは、使用する平面検出器に適合するようにＸ線撮影システムの環境を設定した条件であり、使用する撮影台と撮影台に備えられた平面検出器とＸ線管保持装置１１ａ（あるいはＸ線管保持装置１１ｂ）の位置を設定した撮影位置、Ｘ線発生制御装置１６の制御を行なうために設定した各種パラメータを示す撮影条件と、画像収集部４２で補正する際に用いる補正テーブルを設定した画像収集条件とからなる。
【００２７】
まず、可搬型平面検出器１７が電源装置２１を介してＸ線撮影システム１に対して接続されると、この可搬型平面検出器１７はシステム制御装置１６に自らのステータス情報を送信する。一方、システム制御装置１６は可搬型平面検出器１７の種別の読取を開始する。
【００２８】
第１の実施例では、図６に示すように、接続・取り外し可能な着脱機構であるコネクタ５を介して、Ｘ線撮影システム１の電源装置２１に可搬型平面検出器１７が接続されている。このコネクタ５の一方のケーブルの一側端は可搬型平面検出器１７に接続されており、他側端には一方のコネクタ４ａが設けられている。同様に、他方のケーブルの一側端はＸ線撮影システム１の電源装置２１に接続され、他側端には前記コネクタ４ａと着脱可能な他方のコネクタ４ｂが設けられている。具体的には、可搬型平面検出器１７へ電力を供給する電力供給線５１と、システム制御装置１９と同期を取るための信号線５２と、検出したＸ線の情報を送信する信号線５３とを含む１本のケーブルを、コネクタ５を介して接続する仕組みを持つ。なお、コネクタ５は、１つのＸ線撮影システム４３内に複数あってもよい。たとえば、立位撮影台１４にコネクタがあってもよいし、水平撮影台１５にコネクタがあってもよい。
【００２９】
可搬型平面検出器１７の種別の読み取りは、信号線５２を介して可搬型平面検出器１７とシステム制御装置１６とが同期を取ることで行なわれる。なお、ステータス情報の中でもシリアルＩＤが種別を判断する重要な情報となる。しかし、システム制御装置１６がシリアルＩＤを読み取ることができない場合がある。この場合、ステータス情報の中の他の情報に基づいて、種別を判断することとなる。
【００３０】
システム制御装置１６は、設定条件管理部２０から現在接続されている可搬型平面検出器１７の種別に合致した設定条件を抽出し、この設定条件にしたがって、各装置を制御する。
【００３１】
ここで、接続された可搬型平面検出器１７の種別が図５に示すテーブル図中の４番であったとして、以下説明する。
【００３２】
まず、撮影位置の設定条件にしたがって撮影装置を制御する場合について説明する。図５に示すように、種別が４番である可搬型平面検出器１７がＸ線撮影システム１の電源装置２１に接続された場合、立位撮影台１４、水平撮影台１５を使うことなくＸ線撮影を行なうことができる。したがって、立位撮影台１４と水平撮影台１５の動作範囲に拘束されることなく、可搬型平面検出器１７の位置を決めることができる。また、システム制御装置１６は、撮影位置の設定条件に従い、使用するＸ線管保持装置１１ａ（あるいはＸ線管保持装置１１ｂ）を選択し、Ｘ線発生制御装置１３に該当するＸ線管保持装置１１ａ（あるいはＸ線管保持装置１１ｂ）を利用可能とさせ、その設定条件で定めた位置まで移動させる。
【００３３】
次に、撮影条件にしたがって、システム制御装置１６がＸ線発生制御装置１３を制御する場合について説明する。
【００３４】
システム制御装置１６は、設定条件で設定した撮影条件に従って、Ｘ線発生制御装置１３を介して、高圧電圧発生装置６６を制御し、Ｘ線管球６１の曝射を調整する。具体的には、Ｘ線管球６１に与える管電流と管電圧、そして、電圧を印加する時間を制御する。
【００３５】
さらに、システム制御装置１６は、可動絞り制御部６５を介して、設定条件で設定した撮影条件に従って可動絞り装置６２を制御し、その照射領域の範囲を決定する。
【００３６】
ここで、種別が４番である可搬型平面検出器１７が接続されたとすると、１４５ｍＡの管電流と４０ｋＶの管電圧が短時間印加されるよう設定される。また、可搬型平面検出器１７のサイズに合わせて可動絞り装置６２に設定される照射範囲は１４×１７ｉｎｃｈとなる。
【００３７】
このように、設定条件に従って撮影の準備を行なった後、検査室２において、被検体にＸ線を照射し、可搬型平面検出器１７を用いて被検体を透過したＸ線を検出する。ここで、検出されたＸ線は、画像処理装置１９の読み出し制御部４１でＸ線信号として出力する。
【００３８】
画像収集部４２は、この出力したＸ線信号の感度を補正して補正画像データを補正し、補正した画像データを連結して長尺画像データを作成する。システム制御部１６は、画像収集条件に従って、可搬型平面検出器１７の種別に対応するように設定したオフセット補正テーブルとゲイン補正テーブルのＸ線信号を補正する。ここで、種別が４番である可搬型平面検出器１７が接続されているので、オフセット補正は補正テーブル４が、ゲイン補正は補正テーブル４が選択されることになる。
【００３９】
以上のように補正したＸ線信号は、Ｘ線信号画像として操作卓装置１８の図示しない出力装置（モニタ）に入力され、Ｘ線撮影画像としてこの出力装置に表示される。
【００４０】
また、操作者が可搬型平面検出器１７の取り外しを指示する、もしくは検査終了後に可搬型平面検出器１７の取り除き処理を指示すると、システム制御装置１６は直ちに可搬型平面検出器１７の取り外し処理を開始する。取り外し処理が完了すると、操作者は、自由に可搬型平面検出器１７をＸ線撮影システム１の電源装置２１から取り外すことが可能となる。取り外しは、コネクタ５から可搬型平面検出器１７を抜くことにより行われる。
【００４１】
このように、本実施の形態によると、Ｘ線撮影システム１に対する可搬型平面検出器１７の着脱操作をトリガーとして、設定条件管理部２０から予め設定した可搬型平面検出器１７に対する撮影条件を読み出すことが可能となる。これにより、可搬型平面検出器１７のＸ線撮影システム１に対する着脱操作に応じて、自動的に各制御装置を最適化することが可能となり、設定作業の効率を向上させることができる。
【００４２】
また、必要な時に、必要な部屋で設定作業を行なうことなく、可搬型平面検出器１７を接続するだけで、容易に検査を行なうことができるようになる。これにより、複数のＸ線撮影システム１を導入したい病院では、導入コストを抑えることができ、可搬型平面検出器１７の可搬性という特長を最大に活かすことができる。
【００４３】
（第２の実施の形態） 
第２の実施の形態に係るＸ線撮影システムは、図７に示すように、第１の実施の形態にかかるＸ線撮影システム１に、通信制御装置２６を付加して構成される。この通信制御装置２６は、ＬＡＮ（Ｌｏｃａｌ Ａｒｅａ Ｎｅｔｗｏｒｋ）やＷＡＮ（Ｗｉｄｅ Ａｒｅａ Ｎｅｔｗｏｒｋ）、或いはインターネット等のネットワークに接続された伝送媒体に接続可能なインターフェイスである。具体的には、通信制御部２６は、モデム又はターミナルアダプタ等によって構成され、ネットワーク２５を介して接続される病院内の情報や被写体である患者の情報、撮影情報を管理するＨＩＳ（Ｈｏｓｐｉｔａｌ Ｉｎｆｏｒｍａｔｉｏｎ Ｓｙｓｔｅｍ：病院情報システム）、放射線科内の情報や被写体である患者の情報、撮影情報を管理するＲＩＳ（Ｒａｄｉｏｌｏｇｙ Ｉｎｆｏｒｍａｔｉｏｎ Ｓｙｓｔｅｍ：放射線科情報システム）、撮影された画像をファイリングするサーバ等の外部機器と各種情報を送受信するための通信制御を行う。
【００４４】
すなわち、この通信制御装置２６を介して、1つの病院システム２００に設置された複数のＸ線撮影システム１ａ、１ｂ、・・・１ｎの設定条件を共有することが可能となる。特に、可搬型平面検出器１７に適した設定条件、たとえば、オフセット補正テーブル８１とゲイン補正テーブル８２を複数のＸ線撮影システム１ａ、１ｂ、・・・１ｎで共有することにより、例えばＸ線撮影システム１ａに対して可搬型平面検出器１７の設定を行なうことで、他のＸ線撮影システム１ｂ、・・・１ｎに対して改めて設定を行なう手間を省くことができる。
【００４５】
図８は、本実施の形態に係る、可搬型平面検出器１７とＸ線撮影システム１における電源装置とのコネクタ部分を示した図である。このコネクタ８の一方のケーブルの一側端は可搬型平面検出器１７に接続ており、他側端には一方のコネクタ７ａが設けられている。同様に、他方のケーブルの一側端はＸ線撮影システム１の電源装置に接続され、他側端には前記コネクタ７ａと着脱可能な他方のコネクタ７ｂが設けられている。
【００４６】
このコネクタ８のケーブルは、可搬型平面検出器１７へ電力を供給する電力供給線９１と、システム制御装置１６と同期を取るための信号線９２と、検出したＸ線の情報を送信する信号線９３と、通信制御装置２６とデータ通信を行なう信号線９４とを備える。なお、コネクタ８の一方は、１つのＸ線撮影システム内に複数あってもよい。たとえば、立位撮影装置１４にコネクタがあってもよいし、水平撮影装置１５にコネクタがあってもよい。
【００４７】
このコネクタ８を備えたＸ線撮影システム１に対して、可搬型平面検出器１７を接続すると、可搬型平面検出器１７のステータス情報に対応するように、Ｘ線撮影システム１の各装置が設定される。また、データ通信用の信号線９４がイーサネット（登録商標）ケーブル等の通信手段となり、Ｘ線撮影システム１のシステム制御装置を介して抽出した各情報を、複数のＸ線撮影システムで共有することが可能となる。すなわち、本実施の形態では、可搬型平面検出器１７のステータス情報の読取り、信号線９２を介してシステム制御装置１６と同期を取ると共に、通信の確立をも行なう。
【００４８】
これにより、図７に示すように、可搬型平面検出器１７の情報を病院システム２００内のすべてのＸ線撮影システム１ａ、１ｂ・・・１ｎ等で共有することができる。このように、本実施の形態によると、１つのＸ線撮影システム１で得た可搬型平面検出器１７に適合した設定条件を共有することができるため、１回の接続操作をトリガーとして、他のＸ線撮影システム１でも可搬型平面検出器２０の情報を取得することができ、病院システム２００内のすべてのＸ線撮影システムに対して、予め可搬型平面検出器１７の設定を行なう必要がなくなる。特に、画像収集部４２のオフセット補正テーブル８１やゲイン補正テーブル８２の画像収集条件を共有することで、可搬型平面検出器１７に適した補正テーブルを保持しないＸ線撮影システム１は、可搬型平面検出器１７との接続をトリガーとして、適当な補正テーブルを有するＸ線撮影システム１から補正テーブルを自動的にダウンロードすることが可能となる。
【００４９】
また、１つのＸ線撮影システム１でのみ、可搬型平面検出器１７に適合する設定条件を保持・管理すればよく、設定作業の効率をさらに向上させることができる。さらに、必要な時に、必要な部屋で、可搬型平面検出器１７を即座に使用することが可能となり、可搬型平面検出器１７の最大の利点となる可搬性を最大に活かすことができる。
【００５０】
本発明は前記実施の形態にのみ限定されるものではなく、Ｘ線透視撮影システムに、第1の実施の形態で説明したコネクタ５を用いて第２の実施の形態で説明したＬＡＮに接続させるようにしても良い。このようにすることで、可搬型平面検出器１７を、Ｘ線透視撮影システムに接続するだけで、可搬型平面検出器１７の情報を容易に取得することができ、設定作業の効率を向上させることができる。また、複数種類のＸ線撮影システムに接続している場合でも、必要な時に必要な部屋で、可搬型平面検出器１７を即座に使用することが可能となり、可搬型平面検出器１７の最大の利点となる可搬性を最大に活かすことができる。
【図面の簡単な説明】
【００５１】
【図１】本発明の実施の形態に係るＸ線撮影システムの概要図。
【図２】本発明の実施の形態に係るＸ線管とＸ線発生制御装置１３の一例を示したブロック図。
【図３】本発明の第1の実施の形態に係るＸ線撮影システムの一例を示すブロック図
【図４】本発明の実施の形態に係る画像収集部の一例を示す図。
【図５】本発明の実施の形態に係る設定条件管理部の一例を示すテーブル図。
【図６】本発明の第1の形態に係るコネクタの一例を示す図。
【図７】第２の実施の形態に係る病院システムの一例を示した図。
【図８】第２の実施の形態に係るコネクタの一例を示した図。
【符号の説明】
【００５２】
１  Ｘ線撮影システム、２  検査室、３  操作室、１１ａ  Ｘ線管保持装置、１１ｂ  Ｘ線管保持装置、１２ａ  Ｘ線管、１２ｂ  Ｘ線管、１３  Ｘ線発生制御装置、１４  立位撮影台、１５  水平撮影台、１６  システム制御装置、１７  可搬型平面検出器、１８  操作卓装置、１９  画像処理装置、２０  設定条件管理部、２１  電源装置、２２ａ  平面検出器、２２ｂ  平面検出器、２６  通信制御装置
【図１】
2010119513.tif 000003
【図２】
2010119513.tif 000004
【図３】
2010119513.tif 000005
【図４】
2010119513.tif 000006
【図５】
2010119513.tif 000007
【図６】
2010119513.tif 000008
【図７】
2010119513.tif 000009
【図８】
2010119513.tif 000010